(57)【要約】【課題】ブラシとスリップリングとの間にオイルが侵入するのを防止することができる回転電機を提供することを目的とする。【解決手段】オイル遮断構造体１７は、ブラシホルダ１３ｗと、軸受４との間に位置している。軸受４のオイル遮断構造体１７と対向する側面２１には、回転軸３と同軸に溝部１８が形成されている。溝部１８の断面は、ブラシホルダ１３ｗと向かい合う側が開いた矩形である。溝部１８は、少なくとも樋縦部１９ｂを、溝部１８の中に完全に収めることのできるようになっている。つまり溝部１８は樋部１９を収容可能な収容部である。外周部２０の水平部２０ｂは、円筒部３５に嵌合するように、円筒部３５の外径に対して僅かに大きな内径を有している。全体として、樋部１９は溝部１８に収容され、外周部２０は円筒部３５に嵌合する。【選択図】図３
2014100049.tif 000002
【特許請求の範囲】
【請求項１】
回転軸と、
前記回転軸とともに回転可能なスリップリングと、
前記スリップリングに接するブラシと、
前記回転軸と同軸に設けられた軸受と、
オイル遮断構造体と、
を備え、
前記オイル遮断構造体には、前記回転軸が貫通する平面部と、前記平面部から前記スリップリングとは反対方向に延びる樋横部を含む樋部とが設けられており、前記軸受の前記オイル遮断構造体と対向する側面に、前記樋横部の一部を収容可能な収容部が設けられており、前記樋横部は一部が前記収容部に収容され、前記軸受から落下した潤滑用のオイルは、前記樋横部に受けられる回転電機。
【請求項２】
前記オイル遮断構造体には、前記樋部を取り囲むように外周部が設けられており、前記外周部は、前記回転軸の回転によって飛ばされたオイルを受ける、請求項１に記載の回転電機。
【請求項３】
前記ブラシを取り付けるブラシホルダを備え、前記オイル遮断構造体と前記ブラシホルダとが一体化されている、請求項１または２に記載の回転電機。
【請求項４】
前記オイル遮断構造体のうち、少なくとも前記樋部が金属で形成されている、請求項１〜３のいずれか一項に記載の回転電機。
【請求項５】
前記オイル遮断構造体と、前記ブラシホルダとがインサート成形されている、請求項４に記載の回転電機。
【請求項６】
前記樋部は、前記樋横部の外表面から外方に延びるように設けられた樋縦部を備え、前記樋縦部のうち、その下側半分において少なくとも前記樋縦部の最下端を含む部分が、前記収容部の外側に位置している、請求項１〜５のいずれか一項に記載の回転電機。
【請求項７】
前記樋縦部のうち、その下側半分において、少なくとも前記樋縦部の前記最下端を含む部分は、前記最下端に向かうに従い前記樋縦部が前記平面部に近づくように傾斜している、請求項６に記載の回転電機。
【請求項８】
前記樋縦部は、円弧状の断面を有する形状であり、前記樋部は、前記樋横部の外表面から外方に延びるように設けられた樋縦部を有し、前記樋横部は、上側に向かって凸状になるように配置される、請求項１〜５のいずれか一項に記載の回転電機。
【請求項９】
前記樋部は、前記樋横部の外表面から外方に延びるように設けられた樋縦部と、前記樋縦部のうち、その下側半分において少なくとも前記樋縦部の最下端を含む部分が、前記樋縦部から前記平面部に向かって前記樋横部との間に間隔を空けながら延びる折り返し部を備え、
前記樋縦部に接続されていない前記折り返し部の端部は前記平面部との間に間隔を保持し、かつ前記収容部の外側に位置する、請求項１〜５のいずれか一項に記載の回転電機。
【請求項１０】
前記樋横部は円筒形状を有し、前記平面部に接続されていない端部が、前記平面部に接続されている端部より、上方に位置するように傾斜している、請求項１〜５のいずれか一項に記載の回転電機。
【発明の詳細な説明】
【技術分野】
【０００１】
この発明は回転電機に係り、特に、回転軸と、ブラシと、スリップリングとが設けられた回転電機に関する。
【背景技術】
【０００２】
従来の回転電機であるモータが、特許文献１に記載されている。この回転電機において、ブラシホルダの内側円周部にはオイルストッパ部が断面Ｌ字形状のリング状に形成されており、このオイルストッパ部はその円形リング形状部が軸受メタルとスリップリングとの間に挿入するように、また、円筒形状部が軸受メタルの外周を取り囲むように、同心的に配設されている。このオイルストッパ部により、モータの回転軸の潤滑のために使用されているオイルが、ブラシとスリップリングとの間に進入しないように構成されている。
【先行技術文献】
【特許文献】
【０００３】
【特許文献１】実開昭６３−１７５６０号公報
【発明の概要】
【発明が解決しようとする課題】
【０００４】
しかしながら、特許文献１に記載されたモータでは、オイルがブラシとスリップリングとの間に進入することを完全に防ぐには不十分であり、オイルがブラシとスリップリングとの間に進入してブラシの摩耗粉を固め、摩耗粉によるブラシの異常磨耗を引き起こすという問題点があった。
【０００５】
この発明はこのような問題点を解決するためになされたもので、ブラシとスリップリングとの間にオイルが侵入するのを防止することができる回転電機を提供することを目的とする。
【課題を解決するための手段】
【０００６】
この発明に係る回転電機は、回転軸と、回転軸とともに回転可能なスリップリングと、スリップリングに接するブラシと、回転軸と同軸に設けられた軸受と、オイル遮断構造体とを備え、オイル遮断構造体には、回転軸が貫通する平面部と、平面部からスリップリングとは反対方向に延びる樋横部を含む樋部とが設けられており、軸受のオイル遮断構造体と対向する側面に、樋横部の一部を収容可能な収容部が設けられており、樋横部は一部が収容部に収容され、軸受から落下した潤滑用のオイルは、樋横部に受けられる。
オイル遮断構造体には、樋部を取り囲むように外周部が設けられており、外周部は、回転軸の回転によって飛ばされたオイルを受けてもよい。
ブラシを取り付けるブラシホルダを備え、オイル遮断構造体とブラシホルダとが一体化されていてもよい。
オイル遮断構造体のうち、少なくとも樋部が金属で形成されていてもよい
オイル遮断構造体と、ブラシホルダとがインサート成形されていてもよい。
樋部は、樋横部の外表面から外方に延びるように設けられた樋縦部を備え、樋縦部のうち、その下側半分において少なくとも樋縦部の最下端を含む部分が、収容部の外側に位置していてもよい。
樋縦部のうち、その下側半分において、少なくとも樋縦部の最下端を含む部分は、最下端に向かうに従い樋縦部が平面部に近づくように傾斜していてもよい。
樋縦部は、円弧状の断面を有する形状であり、樋部は、樋横部の外表面から外方に延びるように設けられた樋縦部を有し、樋横部は、上側に向かって凸状になるように配置されていてもよい。
樋部は、樋横部の外表面から外方に延びるように設けられた樋縦部と、樋縦部のうち、その下側半分において少なくとも樋縦部の最下端を含む部分が、樋縦部から平面部に向かって樋横部との間に間隔を空けながら延びる折り返し部を備え、樋縦部に接続されていない折り返し部の端部は平面部との間に間隔を保持し、かつ収容部の外側に位置していてもよい。
樋横部は円筒形状を有し、平面部に接続されていない端部が、平面部に接続されている端部より、上方に位置するように傾斜していてもよい。
【発明の効果】
【０００７】
この発明によれば、環状形状の樋部が設けられたオイル遮断構造体を備え、回転軸と同軸に設けられた軸受のオイル遮断構造体と対向する側面に、樋部を収容可能な収容部である環状形状の溝部が設けられており、樋部は溝部に収容され、軸受から落下した潤滑用のオイルは、樋部に受けられることにより、ブラシへのオイル侵入を防止することができる。
【図面の簡単な説明】
【０００８】
【図１】この発明の実施の形態１に係る回転電機の断面図である。
【図２】この発明の実施の形態１に係る回転電機に設けられたオイル遮断構造体の斜視図及び拡大部分断面図である。
【図３】この発明の実施の形態１に係る回転電機において、オイル遮断構造体が設けられた部分の拡大断面図である。
【図４】この発明の実施の形態１に係る回転電機に設けられたオイル遮断構造体の斜視図である。
【図５】この発明の実施の形態２に係る回転電機に設けられたオイル遮断構造体の拡大部分断面図である。
【図６】この発明の実施の形態３に係る回転電機に設けられたオイル遮断構造体の拡大部分断面図である。
【図７】この発明の実施の形態４に係る回転電機に設けられたオイル遮断構造体の拡大部分断面図である。
【図８】この発明の実施の形態１に係る回転電機において、軸受部分の拡大断面図である。
【図９】この発明の実施の形態５に係る回転電機に設けられたオイル遮断構造体の斜視図である。
【図１０】この発明の実施の形態５に係る回転電機において、オイル遮断構造体が設けられた部分の拡大断面図である。
【図１１】この発明の実施の形態５に係る回転電機に設けられたオイル遮断構造体の側面図である。
【図１２】この発明の実施の形態５に係る回転電機に設けられたオイル遮断構造体の変形例の斜視図である。
【図１３】この発明の実施の形態６に係る回転電機に設けられたオイル遮断構造体の斜視図である。
【図１４】この発明の実施の形態６に係る回転電機において、オイル遮断構造体が設けられた部分の拡大断面図である。
【図１５】この発明の実施の形態６に係る回転電機に設けられたオイル遮断構造体の側面図である。
【図１６】この発明の実施の形態７に係る回転電機に設けられたオイル遮断構造体の斜視図である。
【図１７】この発明の実施の形態７に係る回転電機において、オイル遮断構造体が設けられた部分の拡大断面図である。
【図１８】この発明の実施の形態７に係る回転電機に設けられたオイル遮断構造体の側面図である。
【図１９】この発明の実施の形態８に係る回転電機に設けられたオイル遮断構造体の斜視図である。
【図２０】この発明の実施の形態８に係る回転電機において、オイル遮断構造体が設けられた部分の拡大断面図である。
【図２１】この発明の実施の形態８に係る回転電機に設けられたオイル遮断構造体の側面図である。
【発明を実施するための形態】
【０００９】
以下、この発明の実施の形態を添付図面に基づいて説明する。
実施の形態１
図１に、この発明の実施の形態１に係る回転電機の構成を示す。回転電機であるモータ１にモータ１の外装であるハウジング２が設けられている。ハウジング２に設けられた円筒状の穴の縁部である円筒部３５に挿入するように、略円柱形の回転軸３が設けられている。回転軸３の一部を同軸で取り囲むように、略円筒形の軸受４が設けられている。回転軸３の軸受４で覆われない部分は絶縁樹脂６で囲われており、さらに絶縁樹脂６の外周に回転軸３と同軸に円筒形状のスリップリング５ｕ、５ｖ、５ｗが設けられている。軸受４内に、スリップリング５ｕ、５ｖ、５ｗと図示しないロータの巻線とを電気的に接続するためのバスバー７が設けられている。バスバー７の一部は絶縁カラー９で被覆され、被覆された部分の端には、バスバー７の外周にＯリング８が設けられている。
【００１０】
スリップリング５ｕ、５ｖ、５ｗのそれぞれに接触するように、３つのブラシ１０ｕ、１０ｖ、１０ｗが設けられている。各ブラシは、ブラシケース１１ｕ、１１ｖ、１１ｗに収納されている。各ブラシケースには、ブラシ１０ｕ、１０ｖ、１０ｗをスリップリング５ｕ、５ｖ、５ｗに加圧するための、バネ１２ｕ、１２ｖ、１２ｗが設けられている。ブラシ１０ｕ、１０ｖ、１０ｗを保持するために、中央に略円形状の穴の開いた環状形状である樹脂製のブラシホルダ１３ｕ、１３ｖ、１３ｗが、スリップリング５ｕ、５ｖ、５ｗと同軸に設けられている。ブラシホルダ１３ｕ、１３ｖ、１３ｗにはそれぞれ銅板１４ｕ、１４ｖ、１４ｗが取り付けられている。銅板１４ｕ、１４ｖ、１４ｗにはそれぞれブラシ１０ｕ、１０ｖ、１０ｗが取り付けられている。つまり、ブラシホルダ１３ｕ、１３ｖ、１３ｗはブラシ１０ｕ、１０ｖ、１０ｗを保持している。
【００１１】
軸受４とハウジング２との間の空間に、ベアリング１５が設けられ、その空間のベアリング１５よりもブラシ１０ｗが設けられている側にオイルシール１６が設けられている。ベアリング１５には、図示しないオイル供給源であるオイルタンクから潤滑用のオイルが供給される。ブラシホルダ１３ｗにはブラシホルダ１３ｗと一体構造で、樹脂製のオイル遮断構造体１７が、軸受４との間に設けられている。オイル遮断構造体１７は、全体としてはブラシホルダ１３ｗと同じく中央に穴の開いた略円形状の環状形状である。
【００１２】
図２（ａ）および図２（ｂ）に、ブラシホルダ１３ｗと一体形成されたオイル遮断構造体１７の構成を示す。略円板状のブラシホルダ１３ｗに、略円板状の銅板１４ｗがインサート成形で一体化されている。これにより、ブラシホルダ１３ｗを形成する際に、部品点数と組立工数とが削減される。銅板１４ｗのブラシホルダ１３ｗが取り付けられた面の反対側の面は、ブラシ１０ｗ（図１参照）が取り付けられる面となる。オイル遮断構造体１７は、ブラシホルダ１３ｗの銅板の一体化された面と反対側の面、すなわち、ブラシホルダ１３ｗの軸受４と向かい合う面に、ブラシホルダ１３ｗと一体的に形成されている。オイル遮断構造体１７は、樋部１９と外周部２０から構成されている。樋部１９は、中央に略円形状の穴の開いた環状形状のオイル遮断構造体１７において、中央の穴の縁を構成している。また、樋部１９は、オイル遮断構造体１７の軸受４と向かい合う面である平面部３６に対し垂直に軸受４の方向に突出した円筒形状の樋横部１９ａと、樋横部１９ａの先端からさらに平面部３６に対して平行に円周方向に向けて突出している樋縦部１９ｂとで構成されている。すなわち、樋部１９は、オイル遮断構造体１７の回転軸３に対し垂直な平面部３６と、樋横部１９ａと、樋縦部１９ｂとから構成されるくぼんだ円環状の溝を形成している。樋部１９を取り囲むように環状の外周部２０が形成され、オイル遮断構造体１７の外周を構成している。外周部２０は、平面部３６に対し外側の円周方向に向けて斜めに傾斜している傾斜部２０ａと、傾斜部２０ａに接続され平面部３６に対し垂直方向に突出した部分である水平部２０ｂから構成されている。
【００１３】
図３に、モータ１において、オイル遮断構造体１７が設けられた部分の詳細な構成を示す。オイル遮断構造体１７は、ブラシホルダ１３ｗと、軸受４との間に位置している。軸受４のオイル遮断構造体１７と対向する側面２１には、回転軸３と同軸に溝部１８が形成されている。溝部１８の断面は、ブラシホルダ１３ｗと向かい合う側が開いた矩形である。溝部１８は、少なくとも樋縦部１９ｂを、溝部１８の中に完全に収めることのできるようになっている。つまり溝部１８は樋部１９を収容可能な収容部である。外周部２０の水平部２０ｂは、円筒部３５に嵌合するように、円筒部３５の外径に対して僅かに大きな内径を有している。全体として、樋部１９は溝部１８に収容され、外周部２０は円筒部３５に嵌合する。なお、図３はモータ１の回転軸３（図１参照）よりも上側の構成であるが、モータ１の回転軸３よりも下側も同様の構成である。また、バスバー７とブラシホルダ１３ｗの間に、バスバー絶縁樹脂２２が配置される。
【００１４】
次に、この発明の実施の形態１に係る回転電機の動作を説明する。
モータ１の稼働中は、ベアリング１５には、潤滑用のオイルが供給されている。図３に示されるように、オイルは通常、オイルシール１６で遮断されるが、例えば、オイルシール１６が劣化した場合にはオイルの漏れが生じ、オイルシール１６からオイルが染み出す。染み出したオイルは、矢印Ａのように、軸受４の上部を伝い、矢印Ｂのように軸受４の側面２１を伝い、重力で下方へ移動し樋横部１９ａへ落ちる。樋部１９は溝部１８の内部に収容されているので、オイルは確実に樋横部１９ａに入り込む。オイル遮断構造体１７は環状形状であるため、樋部１９に落ちたオイルは図４の矢印Ｃのように、樋横部１９ａの表面を伝い下方に移動する。矢印Ｄのようにオイル遮断構造体１７の下方に移動したオイルは、矢印Ｅのように外周部２０に落下する。外周部２０に落下したオイルは、水平部２０ｂと円筒部３５（図３参照）との間隙より排出され、図示しないオイルタンクへ戻る。オイルシール１６から染み出したオイルのうち、図３の矢印Ｆのようにモータ１の回転の遠心力で飛ばされたオイルは、傾斜部２０ａまたは水平部２０ｂで受けられて、傾斜部２０ａと水平部２０ｂとの表面を伝い、重力で下方に移動し、水平部２０ｂとハウジング２の間隙より排出され、図示しないオイルタンクへ戻る。したがって、オイルシール１６から染み出したオイルは、オイル遮断構造体１７によってブラシ１０ｕ、１０ｖ、１０ｗとスリップリング５ｕ、５ｖ、５ｗとの間への進入が防止される。
【００１５】
このように、環状形状の樋部１９が設けられたオイル遮断構造体１７を備え、回転軸３と同軸に設けられた軸受４のオイル遮断構造体１７と対向する側面２１に、樋部１９を収容可能な環状形状の溝部１８が設けられており、樋部１９は溝部１８に収容され、軸受４から落下した潤滑用のオイルは、樋部１９に受けられることにより、ブラシ１０ｕ、１０ｖ、１０ｗへのオイル侵入を防止することができる。
【００１６】
なお、実施の形態１ではオイルシール１６が設けられているが、オイルはオイル遮断構造体１７によりブラシ１０ｕ、１０ｖ、１０ｗへの進入が防止されるため、オイルシール１６は必ずしも必要とされない。
また、樋縦部１９ｂの寸法は、モータ１を搭載した車両等が傾斜した場合でも、オイルが樋部１９よりこぼれ出ることのないように形成される。さらに、樋縦部１９ｂと、樋横部１９ａとのなす角度は、直角に形成されることに限定しない。樋縦部１９ｂと樋横部１９ａとのなす角度が、鈍角であってもよく、その場合はオイル遮断構造体１７を成形する際に、金型の抜去がしやすくなるため、オイル遮断構造体１７の成形がしやすくなる。
【００１７】
実施の形態２
次に、この発明の実施の形態２に係るオイル遮断構造体の構成を示す。尚、以下の実施の形態において、図１〜図４の参照符号と同一の符号は、同一又は同様な構成要素であるので、その詳細な説明は省略する。
この発明の実施の形態２に係るオイル遮断構造体は、実施の形態１に対して、ブラシホルダと、銅板との一体化方法を、ねじで止める方法に変更したものである。
【００１８】
図５に示すように、オイル遮断構造体１７とブラシホルダ２３ｗとが樹脂で一体成形されている。そして、ブラシホルダ２３ｗと、銅板２４ｗとが、ねじ２５ｗとねじ２６ｗとでねじ止めされて一体化されている。その他の構成は実施の形態１と同じである。
【００１９】
オイル遮断構造体１７は実施の形態１と同じであるため、実施の形態２でも実施の形態１と同様の効果が得られる。なお、実施の形態２では、ねじ穴がオイル遮断構造体またはブラシホルダを貫通していないが、ねじ穴をオイル遮断構造体またはブラシホルダを貫通させる場合には、ねじ取付部にシールワッシャを使用する。
【００２０】
実施の形態３
次に、この発明の実施の形態３に係るオイル遮断構造体の構成を示す。
この発明の実施の形態３に係るオイル遮断構造体は、実施の形態１に対して、オイル遮断構造体を金属で形成し、樹脂で形成されたブラシホルダとのインサート成形で一体化される方法に変更したものである。
【００２１】
図６に示すように、金属で形成されたオイル遮断構造体２７が、樹脂製のブラシホルダ２８ｗと、インサート成形で一体化されている。オイル遮断構造体２７は、環状の樋部３７と、樋部３７を取り囲むように設けられた環状の外周部３８とから構成されている。樋部３７は、ブラシホルダ２８ｗの表面に対して垂直に突出した部分である樋横部３７ａと、樋横部３７ａの先端からさらにブラシホルダ２８ｗの表面に対して平行に円周方向に向けて突出している樋縦部３７ｂとで構成されている。また、外周部３８は、ブラシホルダ２８ｗの表面に対して円周方向外方に向けて斜めに傾斜している傾斜部３８ａと、傾斜部３８ａに接続しブラシホルダ２８ｗに対し垂直方向に突出した部分である横部３８ｂから構成されている。そして、ブラシホルダ２８ｗと、銅板１４ｗとが、インサート成形で一体化されている。その他の構成は実施の形態１と同じである。
【００２２】
オイル遮断構造体２７の形状は実施の形態１のオイル遮断構造体１７の形状と同様に、溝部１８（図３参照）に樋部３７が収容されるため、実施の形態３でも実施の形態１と同様の効果が得られる。また、オイル遮断構造体２７を金属で形成した場合、樹脂で形成する場合よりも寸法精度を良くすることができ、樋部３７を溝部１８の中に配置した場合の精度が良くなる。さらに、オイル遮断構造体２７と、ブラシホルダ２８ｗとをインサート成形で一体化したことで、部品点数と組立工数を削減することができる。なお、実施の形態３では、ブラシホルダ２８ｗと銅板１４ｗとをインサート成形で一体化しているが、実施の形態２と同様にねじで止めて一体化してもよい。また、実施の形態３では外周部３８と樋部３７との両方が金属製だが、寸法精度を良くする目的であるならば、少なくとも樋部３７が金属製であればよい。
【００２３】
実施の形態４
次に、この発明の実施の形態４に係るオイル遮断構造体の構成を示す。
この発明の実施の形態４に係るオイル遮断構造体は、実施の形態１に対して、オイル遮断構造体を金属で形成し、ブラシホルダに接着剤で一体化したものである。
【００２４】
図７で示すように、金属製のオイル遮断構造体２９が、樹脂製のブラシホルダ３０ｗに接着剤３１で接着されて固定されている。また、ブラシホルダ３０ｗと銅板３２ｗが、ハトメ３３ｗとハトメ３４ｗで一体化されている。その他の構成は実施の形態１と同じである。
【００２５】
オイル遮断構造体２９の形状は実施の形態１のオイル遮断構造体１７の形状と同様であるため、実施の形態４でも実施の形態１と同様の効果が得られる。また、オイル遮断構造体２９を金属で形成した場合、樹脂で形成する場合よりも寸法精度を良くすることができ、樋部１９を溝部１８の中に配置した場合の精度がよくなる。なお、本実施の形態の実施例では、ブラシホルダ３０ｗと銅板３２ｗとをハトメ３３ｗとハトメ３４ｗで止めて一体化しているが、実施の形態１と同様にインサート成形で一体化したり、実施の形態２と同様にねじで止めて一体化してもよい。
【００２６】
実施の形態５
次に、この発明の実施の形態５に係るオイル遮断構造体の構成を示す。
この発明の実施の形態５に係るオイル遮断構造体は、実施の形態１に対して、樋縦部を傾けたものである。尚、以下の実施の形態において、オイル遮断構造体における上側とはモータ１にオイル遮断構造体を取り付けた際の上側にあたる方向であり、オイル遮断構造体における下側とはモータ１にオイル遮断構造体を取り付ける際の下側にあたる方向である。
【００２７】
図９に示すように、オイル遮断構造体１７ａの樋部１９の樋横部１９ａは平面部３６に対して垂直であるが、樋縦部１９ｃが、上側に行くに従いオイル遮断構造体１７ａの平面部３６から遠ざかるように、下側に行くに従い平面部３６に近づくように傾斜して設けられている。このため、図１０に示すように、オイル遮断構造体１７ａをモータ１に取り付けた際、樋縦部１９ｃのうち下側半分が溝部１８の外側に出るようになる。その他の構成は実施の形態１と同じである。
【００２８】
次に、この発明の実施の形態５に係る回転電機の動作を説明する。
図１０に示すように、オイルシール１６から染み出したオイルの一部は矢印Ａのように軸受４の上部を伝った後、矢印Ｂのように軸受４の側面２１を伝い樋横部１９ａに落ちる。樋横部１９ａに落ちたオイルの一部は、図１１に示すように、矢印Ｇのように樋横部１９ａの外表面へ移動する。オイルが下方に移動する際、樋縦部１９ｃが設けられているため、オイルは樋縦部１９ｃよりも平面部３６側の位置を移動する。図１０に示すように、樋縦部１９ｃの下側半分は溝部１８の外側に出ているため、オイルは溝部１８内に落下することなく、矢印Ｈのように外周部２０へ落下する。外周部２０に落下したオイルは、水平部２０ｂと円筒部３５との間隙より排出され、図示しないオイルタンクへ戻る。したがって、オイルシール１６から染み出したオイルが樋部１９に受けられた後に溝部１８内に再度落下して軸受４の回転によって再度跳ね飛ばされて飛散することが防止される。
【００２９】
実施の形態５では、樋縦部１９ｃはその全体が傾いていたが、図１２に示すように、オイル遮断構造体１７ｂの樋縦部１９ｄの下側半分である樋下側縦部３９だけを下側に行くにつれ平面部３６に近づくように傾斜させ、樋下側縦部３９が溝部３８の外に出るように設けてもよい。この場合、オイルが溝部１８に落下することを防止する目的が達せられればよいので、樋下側縦部３９を傾斜させる範囲は少なくとも最下端４４を含む樋縦部１９ｄの下側半分の適宜の範囲であればよい。
【００３０】
実施の形態６
次に、この発明の実施の形態６に係るオイル遮断構造体の構成を示す。
この発明の実施の形態６に係るオイル遮断構造体は、実施の形態１に対して、樋部の下側半分を除去したものである。
図１３に示すように、オイル遮断構造体１７ｃの樋部１９の樋横部１９ｅは、オイル遮断構造体１７ｃの平面部３６の中央に形成された円形の穴４２の縁から延びる略円筒形の上側半分の形状を有している。すなわち、樋横部１９ｅは、半円形状の断面を有している。樋縦部１９ｆは、樋横部１９ｅの平面部３６に接続されている端部から平面部３６に平行に半径方向外側に向けて突出するように設けられている。また、樋縦部１９ｆの円周方向の両端部から平面部３６に向かって傾斜するように傾斜部４３が設けられている。その他の構成は実施の形態１と同じである。
【００３１】
次に、この発明の実施の形態６に係る回転電機の動作を説明する。
図１４に示すように、オイルシール１６から染み出したオイルの一部は矢印Ａのように軸受４の上部を移動し、矢印Ｂのように軸受４の側面２１を伝い上側の樋横部１９ｅに落ちる。樋横部１９ｅに落ちたオイルの一部は、図１５に示すように矢印Ｊのように樋横部１９ａの外表面に沿って下方に移動した後、矢印Ｋのように樋縦部１９ｆの、平面部３６に向かって傾斜部４３に沿って平面部３６に向かい移動する。さらに、オイルは矢印Ｌのように平面部３６を伝わって下方へ移動し、図１４に示すように矢印Ｍのように外周部２０へ落下する。外周部２０に落下したオイルは、水平部２０ｂと円筒部３５との間隙より排出され、図示しないオイルタンクへ戻る。したがって、オイルシール１６から染み出したオイルが樋部１９に受けられた後に溝部１８内に再度落下して、軸受４の回転によって再度跳ね飛ばされて飛散することが防止される。
【００３２】
実施の形態６では、樋横部１９ｅは略円筒形の上側半分の形状、すなわち半円形状の断面を有していたが、オイルが溝部１８に落下することを防止する目的が達せられればよいので、樋横部１９ｅは、円弧状の断面を有し、かつ、上側に向かって凸状になるように配置されればよい。
【００３３】
実施の形態７
次に、この発明の実施の形態７に係るオイル遮断構造体の構成を示す。
この発明の実施の形態７に係るオイル遮断構造体は、実施の形態１に対して、樋縦部をなくし、樋横部に傾斜をつけたものである。
【００３４】
図１６に示すように、オイル遮断構造体１７ｄは、平面部３６から突出するように設けられた樋横部１９ｇから構成される樋部１９を備えている。樋横部１９ｇは、平面部３６から最も離れた一端が、平面部３６に接している他端より、上方に位置するように傾斜した円筒状の形状をしている。図１７に示すように、モータ１にオイル遮断構造体１７ｄを取り付けた際に、樋横部１９ｇの一部が溝部１８の内部に位置している。その他の構成は実施の形態１と同じである。
【００３５】
次に、この発明の実施の形態７に係る回転電機の動作を説明する。
図１７に示すように、オイルシール１６から染み出したオイルの一部は矢印Ａのように軸受４の上部を移動し、矢印Ｂのように軸受４の側面２１を伝い樋横部１９ｇに落ちる。図１８に示すように樋横部１９ｇの平面部３６に接続されている端部が、樋横部１９ｇの平面部３６に接続されていない端部よりも低くなるように傾斜していることにより、樋横部１９ｇに落ちたオイルは、矢印Ｎのように樋横部１９ｇの外周面に沿って平面部３６に向かいながら下方に向かって移動する。樋横部１９ｇの下端まで移動したオイルは、矢印Ｌのように平面部３６を伝わって下方へ移動し、図１７に示されるように矢印Ｈのように外周部２０へ落下する。外周部２０に落下したオイルは、水平部２０ｂと円筒部３５との間隙より排出され、図示しないオイルタンクへ戻る。したがって、オイルシール１６から染み出したオイルが樋横部１９ｇに受けられた後に溝部１８内に再度落下して、軸受４の回転によって再度跳ね飛ばされて飛散することが防止される。
【００３６】
実施の形態８
次に、この発明の実施の形態８に係るオイル遮断構造体の構成を示す。
この発明の実施の形態８に係るオイル遮断構造体は、実施の形態１に対して、樋縦部の下側半分に、折り返し部を設けたものである。
【００３７】
図１９に示すように、樋縦部１９ｂの下側半分において樋横部１９ａに接続していない端から平面部３６に向かって樋横部１９ａに平行に延びるように、折り返し部４０が設けられている。図２０に示すように、オイル遮断構造体１７ｅをモータ１に取り付けた際に、折り返し部４０は、樋縦部１９ｂに接続している端部とは反対側の他端である端部４１が、平面部３６との間に間隔を保持し、かつ溝部１８の外側に位置している。その他の構成は実施の形態１と同じである。
【００３８】
次に、この発明の実施の形態８に係る回転電機８の動作を説明する。
図２０に示すようにオイルシール１６から染み出したオイルの一部は矢印Ａのように、軸受４の上部を伝い、矢印Ｂのように軸受４の側面２１を伝い、重力で下方へ移動し樋横部１９ａへ落ちる。樋部１９は溝部１８の内部に収容されているので、オイルは確実に樋横部１９ａに入り込む。オイル遮断構造体１７ｅは環状形状であるため、樋横部１９ａに落ちたオイルは図２１の矢印Ｐのように、樋横部１９ａの表面を伝い下方に移動する。さらにオイルは矢印Ｑのように樋部１９の下側半分へ移動する。樋部１９の下側半分へ移動したオイルのうち、樋横部１９ａと折り返し部４０との間の領域にないオイルは、矢印Ｒのように樋横部１９ａから落下して折り返し部４０の端部４１と平面部３６との間を通過し落下する。樋横部１９ａと折り返し部４０との間の領域にあるオイルは、矢印Ｓのように樋横部１９ａから折り返し部４０に落下する。折り返し部４０は、端部４１が平面部３６との間に間隔を保持し、かつ溝部１８の外側に位置するように設けられているため、折り返し部４０に落下したオイルは矢印Ｔのように、端部４１から平面部３６との間を通過して落下する。図２０に示すとおり、折り返し部４０の端部４１と平面部３６との間を通過して落下したオイルは矢印Ｈのように外周部２０へ落下する。外周部２０に落下したオイルは、水平部２０ｂと円筒部３５との間隙より排出され、図示しないオイルタンクへ戻る。したがって、オイルシール１６から染み出したオイルが樋部１９に受けられた後に溝部１８内に再度落下して軸受４の回転によって再度跳ね飛ばされて飛散することが防止される。
【００３９】
実施の形態８では、折り返し部４０は樋縦部１９ｂの下側半分に設けられていたが、オイルが溝部１８に落下することを防止する目的が達せられればよいので、折り返し部４０は少なくとも最下端４４を含む下側半分内の適宜の範囲に設ければよい。
【００４０】
実施の形態１〜４では、収容部は、図３に示すような、ブラシホルダ１３ｗ、またはブラシホルダ２３ｗ、またはブラシホルダ２８ｗ、またはブラシホルダ３０ｗと向かい合う側が開いた矩形の断面を有する環状形状の溝部１８であるが、これに限定されるものではない。図８に示すように、ブラシホルダ１３ｗと向かい合う側及び回転軸３（図１参照）に向かい合う側が開いたＬ字形の断面を有し、全体として溝部１８よりも容積の大きなくぼみ１８ａのような形状であってもよい。
【００４１】
実施の形態５〜８では、オイル遮断構造体１７ａは銅板１４ｗとインサート成形で一体化されているが、実施の形態２〜４にて示されている構造をとってもよい。実施の形態５の変形例（図１２）、実施の形態６、８では、樋縦部は樋横部に対して垂直であるが、垂直ではなく、樋横部と接続していない樋縦部の端部が、樋横部と接続している樋縦部の端部よりも平面部３６から遠くなるような傾斜をもっていてもよい。
【符号の説明】
【００４２】
１  モータ（回転電機）、３  回転軸、４  軸受、５ｕ、５ｖ、５ｗ  スリップリング、１０ｕ、１０ｖ、１０ｗ  ブラシ、１７、１７ａ、１７ｂ、１７ｃ、１７ｄ、１７ｅ、２７、２９  オイル遮断構造体、１３ｕ、１３ｖ、１３ｗ、２３ｗ、２８ｗ、３０ｗ  ブラシホルダ、１８  溝部（収容部）、１８ａ  くぼみ（収容部）、１９、３７  樋部、１９ａ、１９ｅ、１９ｇ、３７ａ  樋横部（横部）、１９ｂ、１９ｃ、１９ｄ、１９ｆ、３７ｂ  樋縦部（縦部）、２０、３８  外周部、２１  側面、３６  平面（平面部）、４０  折り返し部、４１  端部（折り返し部の端部）、４４  最下端。
【図１】
2014100049.tif 000003
【図２】
2014100049.tif 000004
【図３】
2014100049.tif 000005
【図４】
2014100049.tif 000006
【図５】
2014100049.tif 000007
【図６】
2014100049.tif 000008
【図７】
2014100049.tif 000009
【図８】
2014100049.tif 000010
【図９】
2014100049.tif 000011
【図１０】
2014100049.tif 000012
【図１１】
2014100049.tif 000013
【図１２】
2014100049.tif 000014
【図１３】
2014100049.tif 000015
【図１４】
2014100049.tif 000016
【図１５】
2014100049.tif 000017
【図１６】
2014100049.tif 000018
【図１７】
2014100049.tif 000019
【図１８】
2014100049.tif 000020
【図１９】
2014100049.tif 000021
【図２０】
2014100049.tif 000022
【図２１】
2014100049.tif 000023